(57)【特許請求の範囲】
【請求項１】
後壁と両側壁と隔壁とにより囲われて空洞状に成形され、前記隔壁に前記後壁内面に沿って差し込まれた電線の接触端部が挿入される入出力端子孔を設け、前記両側壁間に前記後壁から前側へ所定の間隔離れかつ該後壁の内面と平行な平面内で前記電線が差し込まれる方向に対し直交状に配置される支持軸を設け、前記支持軸には前記入出力端子孔と対応位置して回動自在に軸支される電線固定レバーを設けた電気機器の電線差込口部であって、
前記電線固定レバーは、前記支持軸の周囲を囲う押圧板部と該押圧板部を回動させる操作部とからなり、前記押圧板部の外周面は、多角形状を有し、前記電線の接触端部に圧接し得る平坦な押圧面が連続して成形され、その連続する各押圧面と前記支持軸の中心線までの距離は、前記電線固定レバーの前記操作部が前記後壁と垂直な位置から前記後壁と平行な位置に回動するにつれ徐々に長くなるように設定され、前記電線の接触端部を前記入出力端子孔に挿入した状態で、前記電線固定レバーを回動することにより、その押圧面と前記後壁との間で前記接触端部を挟着して固定できるようにしたことを特徴とする電気機器の電線差込口部。
【請求項２】
後壁と両側壁と隔壁とにより囲われて空洞状に成形され、前記隔壁に前記後壁内面に沿って差し込まれた電線の接触端部が挿入される入出力端子孔を設け、前記両側壁間に前記後壁から前側へ所定の間隔離れかつ該後壁の内面と平行な平面内で前記電線が差し込まれる方向に対し直交状に配置される支持軸を設け、前記支持軸に前記入出力端子孔と対応位置して回動自在に軸支される電線固定レバーを設け、前記電線固定レバーと後壁との間には前記後壁内面に沿って差し込まれる電線の接触端部を覆う覆板部材を配設した電気機器の電線差込口部であって、
前記電線固定レバーは、前記支持軸の周囲を囲う押圧板部と該押圧板部を回動させる操作部とからなり、前記押圧板部の外周面は、多角形状を有し、前記電線の接触端部に前記覆板部材を介して圧接し得る平坦な押圧面が連続して成形され、その連続する各押圧面と前記支持軸の中心線までの距離は、前記電線固定レバーの前記操作部が前記後壁と垂直な位置から前記後壁と平行な位置に回動するにつれ徐々に長くなるように設定され、前記電線の接触端部を前記入出力端子孔に挿入した状態で、前記電線固定レバーを回動することにより、その押圧面と前記後壁との間で前記接触端部を挟着して固定できるようにしたことを特徴とする電気機器の電線差込口部。
【発明の詳細な説明】
【０００１】
【発明の属する技術分野】
本発明は、住宅や工場において、電気の通路にまたは電気の通路として使用される積算電力量計または電磁開閉器、配線用しゃ断器、安全ブレーカー等の電気機器に備えられ、引込線や屋内配線といった電線の接触端部が差し込まれて接続される電線差込口部に関するものである。
【０００２】
【従来の技術】
一般に、この種の電気機器は、電線を接続するための電線差込口部が備えられているが、この電線差込口部には、その奥端部に複数の入出力側電線の先端の接触端部が挿入される複数の入出力端子孔と、これらに対応位置してそれぞれ配置され前記各接触端部を複数のネジでネジ止めするためのネジ止部と、が設けられている。そこで、前記電気機器に複数の電線を接続するには、まず、前記各電線先端の被覆層を剥がし、これら接触端部に圧着端子を取り付ける。そして、これら圧着端子を前記各電線差込口部に差し込み、前記圧着端子に前記複数のネジの先端を螺締めして押し付け、前記電線差込口部の内周壁と前記ネジ先端部とで圧着端子をしっかりと挟着し固定するようにしている。また、特に、接点不良などの事故を防止するためには、最後に増し締めが行なわれる。
【０００３】
【発明が解決しようとする課題】
このように、電気機器に電線を接続するには、あらかじめ前記各電線先端の接触端部に圧着端子を取り付け、また、電気機器の電線差込口部では、各圧着端子を複数のネジにより螺子締めし挟着して固定するようにしているので、それら電線の取付作業に面倒な手間と多くの時間が掛かり、作業能率の向上が図られていないのが現状である。また、特に、増し締めするときなど、トルクが強すぎてネジ山が潰れてしまうといったことが起こり、このような状態になると、電線の交換時にその電線が取り外し難く苦労するという課題がある。
そこで、本発明は、前記課題を解決すべくなされたもので、電気機器への電線の取付・取外しが簡単に行なえ作業能率の向上が図られると共にネジ山が潰れるといった事態も起こり得ない電気機器の電線差込口部を提供することを目的とするものである。
【０００４】
【課題を解決するための手段】
かかる目的を達成するため本発明に係る電気機器の電線差込口部は、後壁と両側壁と隔壁とにより囲われて空洞状に成形され、前記隔壁に前記後壁内面に沿って差し込まれた電線の接触端部が挿入される入出力端子孔を設け、前記両側壁間に前記後壁から前側へ所定の間隔離れかつ該後壁の内面と平行な平面内で前記電線が差し込まれる方向に対し直交状に配置される支持軸を設け、前記支持軸には前記入出力端子孔と対応位置して回動自在に軸支される電線固定レバーを設けた電気機器の電線差込口部であって、前記電線固定レバーは、前記支持軸の周囲を囲う押圧板部と該押圧板部を回動させる操作部とからなり、前記押圧板部の外周面は、多角形状を有し、前記電線の接触端部に圧接し得る平坦な押圧面が連続して成形され、その連続する各押圧面と前記支持軸の中心線までの距離は、前記電線固定レバーの前記操作部が前記後壁と垂直な位置から前記後壁と平行な位置に回動するにつれ徐々に長くなるように設定された構成からなる。
【０００５】
そして、前記電線の接触端部を前記入出力端子孔に挿入した状態で、前記電線固定レバーを回動させることにより、その押圧面と前記後壁との間で前記接触端部が挟着され電線が抜けないように固定される。このように、電線固定レバーを回動するのみで電線が抜けないように固定されるので、その取付作業が極めて簡単となり、作業能率が格段に向上する。また、ネジ止めのようにねじ山を潰してしまうような事態も生ずることがなく、電線の交換作業も簡単に行なえる。
【０００６】
また、他の電気機器の電線差込口部として、後壁と両側壁と隔壁とにより囲われて空洞状に成形され、前記隔壁に前記後壁内面に沿って差し込まれた電線の接触端部が挿入される入出力端子孔を設け、前記両側壁間に前記後壁から前側へ所定の間隔離れかつ該後壁の内面と平行な平面内で前記電線が差し込まれる方向に対し直交状に配置される支持軸を設け、前記支持軸に前記入出力端子孔と対応位置して回動自在に軸支される電線固定レバーを設け、前記電線固定レバーと後壁間には前記後壁内面に沿って差し込まれる電線の接触端部を覆う覆板部材を配設した電気機器の電線差込口部であって、
前記電線固定レバーは、前記支持軸の周囲を囲う押圧板部と該押圧板部を回動させる操作部とからなり、前記押圧板部の外周面は、多角形状を有し、前記電線の接触端部に前記覆板部材を介して圧接し得る平坦な押圧面が連続して成形され、その連続する各押圧面と前記支持軸の中心線までの距離は、前記電線固定レバーの前記操作部が前記後壁と垂直な位置から前記後壁と平行な位置に回動するにつれ徐々に長くなるように設定された構成としても良い。
【０００７】
この構成によれば、接触端部の外周面を覆板部材により一括して広く押え付けることができ、電線の抜け止め効果が向上するばかりか、押圧面が接触端部の外周面に深く食い込まないことから電線固定レバーの操作性が良くなる。また、接触端部の外周面を傷めるようなこともなく、電線の寿命を伸ばすことができるという効果がある。
【０００８】
【発明の実施の形態】
以下、本発明に係る電気機器の電線差込口部の実施の形態を図面に基づき説明する。本発明が適用される電気機器には、住宅や工場において、電気の通路に使用される積算電力量計、または電気の通路として使用され、主として電動機の起動停止用に使用される電磁開閉器、ハンドルの操作で電流を開閉できまた定格電流を超えた大きな電流が流れた場合に自動的に電流を遮断する配線用しゃ断器、安全ブレーカー、端子台が有るが、これらに限定されるものではない。すなわち、住宅や工場において、電線差込口部を備え引込線や屋内配線といった電線を差し込んで接続できる電気機器であれば、適用できる。
【０００９】
本実施の形態では、前記電気機器の内、その一例として配線用しゃ断器について説明する。図１は本発明に係る配線用しゃ断器の一部破断斜視図、図２は同正面図、図３は図２のＸ−Ｘ線断面図、図４は図２のＹ−Ｙ線断面図である。図中、Ａは配線用しゃ断器であり、しゃ断器本体１の一側に電線差込口部２が一体に設けられている。前記しゃ断器本体１は直方体形状をなし、前壁１ａのほぼ中央に電気回路を閉路または開路するためのレバー３が装着されている。そして、配線用しゃ断器Ａは、前記レバー３で電気回路を開閉できると共に定格電流を越えた電流が流れた場合に自動的に電流をしゃ断して前記レバー３によるスイッチをＯＦＦ状態にする構造になっている。
【００１０】
前記電線差込口部２は、前面と下面とが開放され、しゃ断器本体１の内部とを仕切る隔壁４と左右側壁１ｂと後壁１ｃとにより囲われて空洞状に成形されている。その空洞部は、前記左右側壁１ｂと平行な一対の仕切壁５によりほぼ３等分に分割され、３個の区画室６が成形される。そして、各区画室６の隔壁４に、後記する電線Ｄの接触端部ｄ１の先端側が挿入される入出力端子孔７が設けられる。また、各区画室６には、両側壁１ｂ間に前記後壁１ｃから前側へ所定の間隔離れかつ該後壁１ｃの内面と平行な平面内で電線Ｄが差し込まれる方向に対し直交状に支持軸８が配置される。この支持軸８は回動不能に設けられている。各区画室６における支持軸８に電線固定レバー９が軸支されるが、各電線固定レバー９は、支持軸８に対し硬く嵌合しており、外力を強く加えた場合は回動するが、それ以外の状態では回動せずその位置で停止するようになっている。
【００１１】
前記各電線固定レバー９は、前記各入出力端子孔７と対応位置してこれらの手前側に配置され、差し込まれる電線Ｄと合致し、この電線Ｄを圧接し後壁１ｂとの間で挟着できるようになっている。また、各電線固定レバー９と後壁１ｃとの間には、前記後壁１ｃ内面に沿って差し込まれる電線Ｄの接触端部ｄ１を前後側から挟んで覆う被覆板部１０が配設される。この被覆板部１０は、弾力性のある金属帯板１１ａを中央で湾曲して折り曲げられ、その折曲部位１１ｂを前記入出力端子孔７と対向位置させると共に差し込まれた電線Ｄに沿うようにして配置されている。前記覆板部材１０の折曲部位１１ｂには前記接触端部ｄ１が挿通される透孔１２が開設されている。そして、覆板部材１０の一側板部１３ａは、その両側を区画室６の両側であって後壁１ｃから所定の間隔離して設けられた取付枠部１４と後壁１ｃとの間の隙間１５に挟着される。また、他側板部１３ｂは、前記電線固定レバー９の内側に配置されてその外周面に接触しており、一側板部３ａと他側板部３ｂがほぼ平行をなすようになっている。
【００１２】
前記電線固定レバー９を更に詳しく説明すると、電線固定レバー９は、支持軸８の周囲を囲うと共に前記支持軸８が挿通される軸孔１７を開設した押圧板部１６ａと、該押圧板部１６ａから一体に突設され先端が開放される筒状の操作部１６ｂとからなる。前記押圧板部１６ａの外周面には、その外周面に沿って常に支持軸８側に折れ曲がる平坦な押圧面１８ａ〜１８ｄが多面的に成形され、その連続する各押圧面１８ａ〜１８ｄと前記支持軸８の中心軸までの距離は、前記押圧板部１６ａの外周面に沿って前記電線Ｄが抜かれる方向と同じ回動方向へ進むにつれ徐々に長くなるように設定されている。操作部１６ｂに開設された操作孔１９は、一般のドライバーまたは金属棒の先端部Ｓが挿入できる程度の大きさを有し、その操作孔１９にドライバー等の先端部Ｓを差し込んで回動させることにより、電線固定レバー９が回動操作し易くなっている。
【００１３】
電線差込口部２に電線Ｄを差し込んで接続しないとき、前記各電線固定レバー９の操作部１６ｂは、図４に示すように前側を向くように配置され、しかも、支持軸８の中心線からの距離の一番短い第一の押圧面１８ａが、覆板部材１０の他側板部１３ｂの外側面を押圧している。この際、操作部１６ｂの先端は、仕切壁５の先端面より内側に位置している。また、いずれの押圧面１８ａ〜１８ｄも、支持軸８の中心線から垂線を引くことができるように成形され、各押圧面１８ａ〜１８ｄが他側板部１３ｂの外側面に接しているとき、他側板部１３ｂ側からの反力が前記支持軸８の中心線に向かうようになっている。これにより、電線固定レバー９を回動して接触端部ｄ１に圧接する場合、各押圧面１８ａ〜１８ｄによる圧接状態が安定し、接触端部ｄ１の弾性復帰力による電線固定レバー９の戻りも防止され緩みの生ずることがなくなる。
【００１４】
本発明に係る配線用しゃ断器Ａは上記構成からなり、その使用方法について説明する。まず、電線Ｄの先端側の被覆層ｄ２を剥がして接触端部ｄ１を露出させる。この接触端部ｄ１は、その先端側を入出力端子孔７内に挿入したとき覆板部材１０まで達する長さにしてある。そして、図４に示すように、電線固定レバー９の操作部１６ｂが前側を向いている状態で、前記接触端部ｄ１を電線差込口部２の下面側から後壁１ｂに沿って覆板部材１０内に差し込み、その先端側を透孔１２を介して入出力端子孔７内に挿入する。
【００１５】
次に、図５に示すように、外部からドライバーの先端部Ｓを操作孔１９に挿入し、そのモーメントを利用して電線固定レバー９を電線Ｄが差し込まれる方向と同じ方向へ必要な量だけ回動させる。これにより、押圧面１８ａ〜１８ｄが順次移動して後壁１ｃと押圧面１８ａ〜１８ｄとの距離が徐々に短くなり、図６に示すように覆板部材１０を介し後壁１ｃと押圧面１８ｃとの間で接触端部ｄ１が挟着され強固に固定される。他の電線Ｄも、同様な操作を行なうことにより取り付けられる。このように、電線固定レバー９を回動するといったワンタッチ式の操作のみで電線Ｄが配線用しゃ断器Ａに接続される。前記押圧面１８ａ〜１８ｄの数は４面に限られるものではなくそれ以上であっても良く、図５の状態で接触端部ｄ１が挟着して固定されるようにしても良い。
【００１６】
また、古くなった電線Ｄを新しいものと交換する場合または故障のため一時的に電線Ｄを取り外す場合には、図６に示すように接触端部ｄ１が固定された状態で、操作孔１９に前記と同様にドライバーの先端部Ｓを挿入して、電線固定レバー９を図５矢視方向とは逆方向に回動させる。これにより、押圧面１８ｃが元の位置に移動して後壁１ｃと押圧面１８ａ〜１８ｄとの間隔が広がり、電線Ｄを抜いて交換できることとなる。
【００１７】
本実施の形態では、押圧板部１６ａの外周面を多面的に成形して、その外周面に接触端部ｄ１を押圧する押圧面１８ａ〜１８ｄを設けるようにしたが、これは、平坦面の方が接触面積が広くとれ安定すると共にせっかく回動させた電線固定レバー９が無用に逆方向へ回動して接触端部ｄ１に対する押圧力が緩まないようにするためである。しかも、支持軸８の中心線から押圧面１８ａ〜８ｄの距離を順に異ならせることにより、径の異なる電線Ｄに対しても十分対応できるようになっている。なお、前記押圧板部１６ａの外周面と覆板部材１０間の摩擦力が向上できれば、その外周面を弧状の曲面に成形するようにしても良く、これにより無段階の調整が可能となる。
【００１８】
また、前記覆板部材１０を使わず、電線固定レバー９によって接触端部ｄ１を直接圧接することもできるが、本実施の形態のように、覆板部材１０を介在させるようにすれば、電線Ｄの接触端部ｄ１の外表面を一括して押え付けることができて電線Ｄの抜け止め効果が向上する。また、押圧面１８ａ〜１８ｄによって接触端部ｄ１の外周面が直接傷つけられるのを防止することもできる。覆板部材１０としては、金属製の帯板について説明したが、硬質で弾力性があるものであれば合成樹脂製であっても良い。
【００１９】
なお、図示は省略するが、前記電線差込口部２の前面に開閉自在な蓋を取り付けることが好ましく、このようにすれば、安全性が確保されると共に電線差込口部２への埃の侵入も減少させることができる。
【００２０】
【発明の効果】
以上説明したように、本発明に係る電気機器の電線差込口部は、電線差込口部に電線の接触端部を差し込み、この状態で電線固定レバーを回動するのみで、その押圧板部の外周面と後壁との間で電線が挟着して固定され、ワンタッチ式に電線が取り付けられることとなり、電線の取付・取外しが簡単に行なえ作業能率の向上を図ることができるという効果がある。
【００２１】
また、前記入出力端子孔の手前であって電線固定レバーと後壁との間に電線の接触端部を覆う覆板部材を設けるようにすれば、接触端部の外周面を覆板部材で一括して押え付けることができ、電線の抜け止め効果が向上するばかりか、押圧面が接触端部の外周面に深く食い込まないことから電線固定レバーの操作性が良くなる。また、接触端部の外周面を傷めるようなことが少なく、電線の寿命を伸ばすことができるという効果がある。
【図面の簡単な説明】
【図１】本発明に係る配線用しゃ断器の一部破断斜視図。
【図２】同正面図。
【図３】図２におけるＸ−Ｘ線断面図。
【図４】図２におけるＹ−Ｙ線断面図。
【図５】使用状態を示す配線用しゃ断器の側面断面図。
【図６】使用状態を示す配線用しゃ断器の側面断面図。
【符号の説明】
１                          しゃ断器本体
１ａ                        前壁
１ｂ                        側壁
１ｃ                        後壁
２                          電線差込口部
７                          入出力端子孔
８                          支持軸
９                          電線固定レバー
１０                        被覆部材
１６ａ                      押圧板部
１６ｂ                      操作部
１８ａ〜１８ｄ              押圧面
Ａ                          電気機器（配線用しゃ断器）
Ｄ                          電線
ｄ１                        接触端部
【図１】
0004060085.tif 000002
【図２】
0004060085.tif 000003
【図３】
0004060085.tif 000004
【図４】
0004060085.tif 000005
【図５】
0004060085.tif 000006
【図６】
0004060085.tif 000007